(57)【要約】【課題】側圧調整が可能であってもコスト上昇が抑制され外観意匠の自由度が高いヘッドホン用のヘッドバンドを提供する。【解決手段】ヘッドホン(91)用のヘッドバンド(2)は、側端面(21d)に開口するスリット部(21a)を有して横断面形状がＵ字状に形成された第１の曲げ剛性(E21)を有するバンド基部(21)と、弧状に形成されスリット部(21a)に挿着され第１の曲げ剛性(E21)よりも大きい第２の曲げ剛性(E22)を有するサポータ(22)と、を有し、頭部(H)に装着可能である。【選択図】図１
2020184664.tif 000002
【特許請求の範囲】
【請求項１】
側端面に開口するスリット部を有して横断面形状がＵ字状に形成された第１の曲げ剛性を有するバンド基部と、
弧状に形成され前記スリット部に挿着され前記第１の曲げ剛性よりも大きい第２の曲げ剛性を有するサポータと、
を有し、頭部に装着可能なヘッドホン用のヘッドバンド。
【請求項２】
前記サポータは、前記バンド基部から突出する指掛かり部を有することを特徴とする請求項１記載のヘッドホン用のヘッドバンド。
【請求項３】
前記サポータ及び前記バンド基部の外観は、色及び表面仕上げのいずれかにおいて異なる部材であることを視覚によって判別可能であることを特徴とする請求項１又は請求項２記載のヘッドホン用のヘッドバンド。
【請求項４】
前記バンド基部は、外側の面に前記サポータが露出する窓部を有していることを特徴とする請求項１〜３のいずれか１項に記載のヘッドホン用のヘッドバンド。
【請求項５】
スピーカユニットを収容した左耳用及び右耳用の一対の本体部と、
前記一対の本体部が両端部に連結された請求項１〜４のいずれか１項に記載のヘッドホン用のヘッドバンドと、
を備えたヘッドホン。
【発明の詳細な説明】
【技術分野】
【０００１】
本発明は、ヘッドホン用のヘッドバンド及びヘッドホンに関する。
【背景技術】
【０００２】
特許文献１に、使用時に頭部に付与される側圧を微調整できるヘッドバンドを備えたヘッドホンが記載されている。このヘッドホンは、ヘッドバンドに、使用者の頭部に対応して湾曲する板ばねと、この板ばねの外側に配置されて板ばねの両端間距離を調整する調整用部材と、調整用部材の位置を調整する位置調整機構とを有する。
【０００３】
特許文献１に記載されたヘッドホンは、使用者が位置調整機構によって調整用部材の位置を調整することで、板ばねの両端間距離が変更され側圧を調整できる。
【先行技術文献】
【特許文献】
【０００４】
【特許文献１】特開２０１７−０９８８６９号公報
【発明の概要】
【発明が解決しようとする課題】
【０００５】
多くの量販店では、顧客がヘッドホンを視聴でき、好みの音質のヘッドホンを選んで購入できるようになっている。一方、ヘッドバンドを備えたいわゆるオーバーヘッドタイプのヘッドホンにおいて、頭部への装着状態で頭側部を付勢するいわゆる側圧は、ヘッドホン毎に、また、顧客の頭部の大きさや形状毎に異なるものとなる。
そのため、顧客は、視聴で音質が気に入ったヘッドホンであっても、側圧が好みでないと購入をあきらめる場合が多く、ヘッドホンの側圧を顧客の好みに合わせられることが望まれている。
その観点で、特許文献１のヘッドホンのヘッドバンドは望ましい構造を有するが、部品点数が多く構造が複雑でコスト高になると共に外観意匠に制約が多い、という点で改善の余地がある。
【０００６】
そこで、本発明が解決しようとする課題は、側圧調整が可能であってもコスト上昇が抑制され外観意匠の自由度が高い、ヘッドホン用のヘッドバンド及びヘッドホンを提供することにある。
【課題を解決するための手段】
【０００７】
上記の課題を解決するために、本発明は次の構成を有する。
１）  側端部に開口するスリット部を有して横断面形状がＵ字状に形成された第１の曲げ剛性を有するバンド基部と、
弧状に形成され前記スリット部に挿着され前記第１の曲げ剛性よりも大きい第２の曲げ剛性を有するサポータと、
を有し、頭部に装着可能なヘッドホン用のヘッドバンドである。
２）  スピーカユニットを収容した左耳用及び右耳用の一対の本体部と、
前記一対の本体部が両端部に連結された１）に記載のヘッドホン用のヘッドバンドと、
を備えたヘッドホンである。
【発明の効果】
【０００８】
本発明によれば、側圧調整が可能であってもコスト上昇が抑制され外観意匠の自由度が高い、という効果が得られる。
【図面の簡単な説明】
【０００９】
【図１】図１は、本発明の実施の形態に係るヘッドホンの実施例であるヘッドホン９１を頭部Ｈに装着した状態の斜視図である。
【図２】図２は、ヘッドホン９１のバンド部２が備えるサポータ２２の図であり（ａ）は前面図、（ｂ）は下面図、（ｃ）は右側面図である。
【図３】図３（ａ）は、図１におけるＳ３ｂ−Ｓ３ｂ位置においてバンド部２のバンド基部２１にサポータ２２を装着する作業図であり、図３（ｂ）は同じ位置での装着後の断面図である。
【図４】図４（ａ）は、図１におけるＳ４ｂ−Ｓ４ｂ位置においてバンド部２のバンド基部２１にサポータ２２を装着する作業図であり、図４（ｂ）は同じ位置での装着後の断面図である。
【図５】図５は、図１におけるＡ部をバンド基部２１の内面２１ｅの側から見た部分斜視図である。
【図６】図６は、サポータ２２の種類を説明する模式図である。
【図７】図７は、バンド基部２１のスリット部２１ａに連絡ケーブル１３ａを収容した状態を示す断面図である。
【図８】図８は、バンド基部２１に窓部２１ｃを設けた例を示す部分斜視図である。
【図９】図９は、サポータ２２の変形例であるサポータ２２Ａを示す部分斜視図である。
【発明を実施するための形態】
【００１０】
本発明の実施の形態に係るヘッドホンを、実施例のヘッドホン９１により説明する。
【００１１】
（実施例）
図１は、使用者の頭部Ｈにヘッドホン９１を装着した状態を示す斜視図である。以下の説明における前後左右上下の各方向を、図１に示された矢印によって規定する。
【００１２】
ヘッドホン９１は、右耳用及び左耳用の一対の本体部１と、一対の本体部１を連結するヘッドホン用のヘッドバンドとしてのバンド部２とを有する。図１は斜視図であるため、本体部１は左側の片方のみが示されている。
本体部１は、円形又は上下に長い略椀状に形成されたハウジング１１と、ハウジング１１に収容されたスピーカユニットＳＰとを有する。
ハウジング１１の頭部Ｈの側には、柔軟性を有しヘッドホン９１を頭部Ｈに装着したときに頭部Ｈの側部に当接するパッド部３が取り付けられている。
【００１３】
ヘッドホン９１を頭部Ｈに装着した状態で、バンド部２は広がる方向に弾性的に変形している。そのため、バンド部２の変形に対する弾性反発力によってパッド部３を有する本体部１が矢印Ｆａで示されるように頭部Ｈの側部を押圧する。この本体部１による頭部Ｈの側部を押しつける圧力を側圧と称する。
【００１４】
ハウジング１１は、上方に突出するバンド連結部１２を有する。バンド連結部１２にはバンド部２の端部が連結されている。
ヘッドホン９１は、一対の本体部１それぞれの下部からケーブル１３が引き出されたいわゆる両出しタイプとされている。図１では、左側のケーブル１３のみが示されている。
各ケーブル１３の一端側はスピーカユニットＳＰに接続され、他端側は一本のケーブルに纏められて不図示のステレオプラグに接続されている。このステレオプラグを外部の音楽再生装置などに接続することで、各スピーカユニットＳＰから音が出力される。
【００１５】
次に、ヘッドバンドとして機能するバンド部２を図１〜図６を参照して詳述する。バンド部２は、バンド基部２１とサポータ２２とを組み合わせて使用する。
図２は、サポータ２２を示す図であり、（ａ）が前面図、（ｂ）が下面図、（ｃ）が右側面図である。図３及び図４は、それぞれ図２におけるＳ３ｂ−Ｓ３ｂ位置及びＳ４ｂ―Ｓ４ｂ位置における、バンド基部２１に対するサポータ２２の組み合わせによる装着を示す図であり、いずれも（ａ）が装着の作業図、（ｂ）が装着後の断面図である。
図５は、図１におけるＡ部をバンド基部２１の内面２１ｅの側から見た部分斜視図であり、図６は、サポータ２２の種類を説明するための模式図である。
【００１６】
バンド基部２１は、シリコーンゴム或いは熱可塑性エラストマなどによって自然状態で概ね湾曲形状となるように形成され、両端部が本体部１のバンド連結部１２に連結されている。
バンド基部２１は、図３に示されるように、一方の側端面２１ｄに開口し幅方向に向かって切り込まれたスリット部２１ａを有し、横断面形状が厚さの薄いＵ字状に形成されている。スリット部２１ａは、バンド基部２１の長手方向の全体にわたり長手方向の両端部を繋ぐように形成されている。
バンド基部２１は、長手方向の両端部の近傍の内面２１ｅに、側端面２１ｄから反対側の側端面２１ｄ１に向かって切り込まれたリブ受け切り込み部２１ｂを有する。
【００１７】
バンド基部２１は、単体の自然状態で概ね湾曲形状を維持し湾曲形状を広げる方向に可撓性を有する。ただし、湾曲形状を広げて頭部Ｈに宛がってもバンド基部２１の単体のみでは、本体部１を頭部Ｈに対し充分に押圧するほどの弾性反発力を発生させない程度の曲げ剛性Ｅ２１を有するように形成される。
また、この曲げ剛性Ｅ２１は、後述のように、バンド基部２１が、サポータ２２が取り付けられた状態でサポータ２２の弾性反発力を本体部１に充分に伝達して良好な側圧が得られる大きさとされる。この曲げ剛性Ｅ２１の大きさは、バンド基部２１の断面形状及び形成する材料の特性で適切になるよう調整される。
【００１８】
スリット部２１ａが開口する側端面２１ｄは、この例において、図１に示されるように使用状態で前側とされる。もちろん、後側としてもよい。また、リブ受け切り込み部２１ｂは、内面２１ｅではなく外面２１ｆに形成されていてもよい。
【００１９】
サポータ２２は、例えば硬質樹脂による板状部材であり、図２（ａ）に示されるように湾曲した弧状で形成されている。サポータ２２は湾曲の曲率が変わる方向に可撓性を有すると共に、外力で曲率が変わる方向に変形した際にある程度の弾性反発力を生じるように、形状及び材質が調整されて形成されている。
【００２０】
図２（ｂ）に示されるように、サポータ２２は、例えば両端部の内面側に、一方の側端面２２ｃから幅方向に所定の長さＤａで延び、内側に突出するリブ２２ｂが形成されている。
サポータ２２の厚さｔ２２及び幅Ｄ２２は、それぞれバンド基部２１におけるスリット部２１ａの開口高さｔ２１及び奥行き長さＤ２１と同じかわずかに小さい。そのため、図３（ｂ）に示されるように、スリット部２１ａにサポータ２２を挿入してほぼ隙間なく収めることができる。
このとき、リブ２２ｂは、図４及び図５に示されるように、バンド基部２１におけるリブ受け切り込み部２１ｂに干渉なく進入し、バンド基部２１の内面２１ｅから内側に突出した状態となる。
また、バンド基部２１の曲げ剛性Ｅ２１（第１の曲げ剛性）よりもサポータ２２の曲げ剛性Ｅ２２（第２の曲げ剛性）の方が大きいので、バンド基部２１に対するサポータ２２の組み付け作業は、サポータ２２に対し、バンド基部２１の湾曲程度をサポータ２２に合わせながら、スリット部２１ａをサポータ２２に嵌め込むようにすると作業がより容易になる。
【００２１】
図１では、把握容易のため、スリット部２１ａに組み付けたサポータ２２の側端面２１ｄを黒色で示してある。
【００２２】
リブ２２ｂは、バンド基部２１に装着したサポータ２２をスリット部２１ａから抜き取るときの指或いは工具の掛かりになるので、作業者はサポータ２２をバンド基部２１から容易に取り外すことができる。
【００２３】
バンド部２は、バンド基部２１のスリット部２１ａにサポータ２２を挿着することで、サポータ２２の曲げ剛性Ｅ２２とバンド基部２１の曲げ剛性Ｅ２１とを合わせた曲げ剛性Ｅを有する。
バンド基部２１は、その曲げ剛性Ｅ２１が、バンド部２の曲げ剛性Ｅにわずかに寄与するか、或いは実質的に寄与しない程度に形成されるので、バンド部２の曲げ剛性Ｅはサポータ２２の曲げ剛性Ｅ２２に大きく依存する。
すなわち、曲げ剛性Ｅ２２が異なる複数種類のサポータ２２を予め製作しておき、頭部Ｈに装着したときの側圧が顧客の好みの圧力になる曲げ剛性Ｅ２２のサポータ２２をバンド基部２１に挿着することで、顧客それぞれの好みの側圧のヘッドホン９１が得られる。
【００２４】
異なる曲げ剛性Ｅ２２を有するサポータ２２は、同じ材質で形成した場合、曲率半径Ｒが異なるように形成することで得られる。
具体的には、図６（ａ）〜（ｃ）に示されるように、両端間の弧に沿う距離Ｌを同じとして、例えば平均の曲率半径Ｒを異なる曲率半径Ｒ１〜Ｒ３としてそれぞれサポータ２２１〜２２３を形成する。曲率半径の大小は、Ｒ３＜Ｒ２＜Ｒ１とする。いずれの曲率半径も頭部Ｈの外形の曲率半径よりも小さく設定しておく。
【００２５】
これらのサポータ２２１〜２２３を一つずつバンド基部２１のスリット部２１ａに装着したヘッドホン９１を頭部Ｈに装着すると、曲率半径Ｒ１のサポータ２２１を装着したヘッドホン９１の側圧が最も小さく、曲率半径Ｒ３のサポータ２２３を装着したヘッドホン９１の側圧が最も大きくなる。
【００２６】
サポータ２２の曲げ剛性Ｅ２２は、上記の曲率半径Ｒによって設定することに限定されない。サポータ２２の材質或いは形状を変えるなどの種々の方法で設定してよい。
【００２７】
上述のヘッドホン９１は、バンド部２が、バンド基部２１及びサポータ２２で構成され、この２つの部品を組み合わせることのみで好みの側圧を得ることができる。そのため、バンド部２及びそれを備えたヘッドホン９１は、側圧調整が可能でありながら、部品点数が少なく構造が簡単でコスト上昇が良好に抑制される。
また、ヘッドホン９１のバンド部２は、外観が従来のヘッドバンドとほとんど変わらない。そのため、ヘッドホン９１は、外観意匠の自由度が抑制されることはないばかりか、図１に示されるようにサポータ２２の端面の色をバンド基部２１の色と違う色にできる、などにより、従来のヘッドホンより意匠の自由度が高くなっている。
【００２８】
以上詳述した実施例は、上述の構成に限定されるものではなく、本発明の要旨を逸脱しない範囲において変形した変形例としてもよい。
【００２９】
ヘッドホン９１として、ケーブル１３を一対の本体部１それぞれから引き出したいわゆる両出しタイプを説明したが、ヘッドホン９１は、ケーブル１３を一方の本体部１側からのみ引き出したいわゆる片出しタイプであってもよい。
この場合、一方の本体部１から他方の本体部１に収容されたスピーカユニットＳＰに接続する連絡ケーブル１３ａを必要とする。
ヘッドホン９１では、図７に示されるように、連絡ケーブル１３ａを、バンド基部２１のスリット部２１ａの奥に通して収め、サポータ２２をスリット部２１ａの残りの空間に収容させて連絡ケーブル１３ａを外部から見えなくして外観品位を向上させることができる。この場合、サポータ２２の幅方向の寸法は、スリット部２１ａの奥行き長さＤ２１から連絡ケーブル１３ａの外径を引いた残りの幅とする。
【００３０】
バンド部２は、図８に示されるように、バンド基部２１の外側の面である外面２１ｆにサポータ２２を露出させる窓部２１ｃを有していてもよい。これにより、サポータ２２における色或いは表面仕上げなどの外観をバンド基部２１の色或いは表面仕上げなどの外観と異ならせた場合に、サポータ２２を視覚によって容易に判別可能であり、意匠性及びサポータ２２の装着判別性を向上させることができる。
バンド基部２１の曲げ剛性Ｅ２１はサポータ２２の曲げ剛性Ｅ２２と比べて充分小さく、実質的にサポータ２２の収容具として機能する。そのため、バンド基部２１に窓部２１ｃを形成してもヘッドホン９１の頭部Ｈへの装着に不具合は生じない。
【００３１】
サポータ２２の色或いは表面仕上げなどの外観を、曲げ剛性Ｅ２２の大きさの違いに応じたものとすることで、バンド基部２１に装着しているサポータ２２の曲げ剛性Ｅ２２を把握することができる。
これにより、ヘッドホン９１を実際に装着しなくても、装着した際の側圧の違いをヘッドホン９１の外観のみで把握することができる。この場合、既述の窓部２１ｃを形成しておくと、側圧違いの把握がより容易になるので好ましい。
【００３２】
サポータ２２の曲げ剛性Ｅ２２を異ならせる方法として、図９に示されるように、切り込み部２２Ａｄを両側部から互い違いに形成して曲げ変形を容易となる方向に調整してもよい。
【００３３】
サポータ２２の抜き取りのための指掛かり部は、リブ２２ｂに限定されない。例えば、指掛かり部を、バンド基部２１の側端面２１ｄから突出し、指或いは工具を引っ掛けてサポータ２２をスリット部２１ａから引き出せる突起として形成してもよい。
【００３４】
以上、詳述したヘッドホン９１のバンド部２は、バンド基部２１にサポータ２２を装着して組み合わせることでヘッドバンドとして機能する。
そこで、ヘッドホン９１の製造者及び販売者は、次の販売方法でヘッドホン９１を販売できる。
【００３５】
販売者は、顧客がヘッドホン９１を頭部Ｈに試装着したときに、異なる複数の側圧が得られるよう曲げ剛性Ｅ２２が異なる複数種類のサポータ２２を予め店頭に用意し顧客に選択可能にしておく。
顧客がヘッドホン９１を購入する際に、曲げ剛性Ｅ２２の異なる複数種類のサポータ２２を適宜選択してバンド基部２１に順番に取り付け、実際に頭部Ｈに試装着して側圧の感触を比較してもらう。
この試装着により、顧客に好みの側圧となるサポータ２２の種類を選定してもらう。そして、販売者は、顧客が選定した種類のサポータ２２をバンド基部２１のスリット部２１ａに挿着した完成品のヘッドホンとして、或いは顧客自身が装着可能なように、選定した種類のサポータ２２と、サポータ２２が挿着されていない半完成品のヘッドホンとを関連づけて販売する。
サポータ２２は、単品でも販売し、ヘッドホン９１を他の人と共用する場合や、側圧替えを楽しむなど、の利用に供する。
【符号の説明】
【００３６】
１  本体部
１１  ハウジング
１２  バンド連結部
１３  ケーブル
１３ａ  連絡ケーブル
２  バンド部
２１  バンド基部
２１ａ  スリット部
２１ｂ  リブ受け切り込み部
２１ｃ  窓部
２１ｄ．２１ｄ１  側端面
２１ｅ  内面
２１ｆ  外面
２２，２２１〜２２３２２ｂ
２２ｃ  側端面
２２Ａｄ  切り込み部
３  パッド部
９１  ヘッドホン
Ｄａ  長さ
Ｄ２１  奥行き長さ
Ｄ２２  幅
Ｅ２１，Ｅ２２，Ｅ  曲げ剛性
Ｈ  頭部
Ｒ，Ｒ１〜Ｒ３  曲率半径
ＳＰ  スピーカユニット
ｔ２１  開口高さ
ｔ２２  厚さ
【図１】
2020184664.tif 000003
【図２】
2020184664.tif 000004
【図３】
2020184664.tif 000005
【図４】
2020184664.tif 000006
【図５】
2020184664.tif 000007
【図６】
2020184664.tif 000008
【図７】
2020184664.tif 000009
【図８】
2020184664.tif 000010
【図９】
2020184664.tif 000011